(57)【特許請求の範囲】
【請求項１】
脚と、座部と、背凭れとを有する椅子であって、
前記座部は、使用時における水平位置と、前記座部の前部を上方に跳ね上げた跳ね上げ位置との間で揺動可能となるように、回動機構を介して前記脚に対して取り付けられており、
前記回動機構は、前記座部を前記跳ね上げ位置に保持する係止手段と、前記座部又は前記脚の一方に設けられた軸と、前記座部又は前記脚の他方に設けられて前記軸を受け入れる軸受とを有し、
前記係止手段は、前記回動機構の前記軸又は前記軸受の一方と共に回動する突起と、当該軸又は当該軸受の他方と共に回動する嵌合孔とを備え、
前記突起は、前記座部が前記跳ね上げ位置にある場合、当該座部を当該跳ね上げ位置に保持するように前記嵌合孔に嵌合し、当該跳ね上げ位置に保持されている前記座部を前記水平位置に向けて押し下げる力が加えられた場合、前記嵌合孔から離脱する、
ことを特徴とする椅子。
【請求項２】
脚と、座部と、背凭れとを有する椅子であって、
前記座部は、使用時における水平位置と、前記座部の前部を上方に跳ね上げた跳ね上げ位置との間で揺動可能となるように、回動機構を介して前記脚に対して取り付けられており、
前記回動機構は、前記座部を前記跳ね上げ位置に保持する係止手段を有し、
さらに、前記座部の後部の左右両側部のそれぞれに設けられた一対の座部支持部を有し、当該座部支持部のそれぞれに前記回動機構が設けられ、
さらに、左右一対の肘掛を有し、当該肘掛の下端部は、前記椅子の幅方向外側から前記座部支持部に取り付けられている、
ことを特徴する椅子。
【請求項３】
前記脚は、左右一対の前脚と、左右一対の後脚とを含み、
前記背凭れは、その左右両側のそれぞれから下方に延びる支持フレーム部を有し、
前記座部支持部の後方には、前記背凭れの支持フレーム部と前記後脚とを連結する連結部が設けられ、
前記後脚、前記連結部、及び、前記支持フレーム部は、下からこの順序で互いに同軸上に連結されている、
ことを特徴とする請求項２に記載の椅子。
【発明の詳細な説明】
【技術分野】
【０００１】
本発明は、椅子に関し、特に、脚と、座部と、背凭れとを有する椅子に関する。
【背景技術】
【０００２】
従来から、複数の椅子を前後方向に重ね合わせる（ネスティングする）ことにより、省スペースで収納できるようにした椅子が知られている。
例えば、特許文献１には、左右一対の後脚フレーム及び前脚フレームと、左右の前脚フレーム間に架け渡された座フレームと、前脚フレームから上方に延びる背フレームとを備え、座を座フレーム上に取り付け、背凭れを背フレームに取り付けた椅子が記載されている。
【０００３】
この特許文献１の椅子では、座フレームは、前脚フレームの間で前後方向に枝分かれした座前フレーム及び座後フレームを備えている。そして、座前フレームには、座を下方から支持する座支持部が設けられており、座後フレームの中央には、座の下面側に設けられた回動部を回転可能に取り付ける座取付部が設けられている。即ち、椅子の使用時には、座支持部により座が水平状態に支持され、椅子の収納時には、座取付部を中心に座が回動して座面が背凭れに接する程度にまで跳ね上げられることにより、椅子のネスティングが可能となる。
【先行技術文献】
【特許文献】
【０００４】
【特許文献１】特開２０１１−６２３８４号公報
【発明の概要】
【発明が解決しようとする課題】
【０００５】
ところで、特許文献１に記載されているような従来の椅子では、座を回動させて座面が背凭れに接する程度にまで跳ね上げたときに、座の重心を座取付部よりも後方に位置させることによって、座が前下方に倒れ戻ることを防止している。従って、座を跳ね上げた状態で椅子の移動やネスティングを行う際に、衝撃等によって意図せずに座が前下方に倒れ戻ってしまうという問題がある。
【０００６】
また、特許文献１に記載の椅子では、座を回動可能とするために、座前フレームから枝分かれした座後フレームに座取付部を設けると共に座の下面に回動部を設けているので、椅子の構造が複雑になると共に、座を跳ね上げたときの椅子の美観が損なわれており、コストやデザインの面においても向上の余地がある。
【０００７】
本発明は、上述した従来技術の問題点を解決するためになされたものであり、座部を跳ね上げた状態で確実に保持することができると共に、コスト上昇を抑制し美観を向上させることができる椅子を提供することを目的とする。
【課題を解決するための手段】
【０００８】
上記の目的を達成するために、本発明の椅子は、脚と、座部と、背凭れとを有する椅子であって、座部は、使用時における水平位置と、座部の前部を上方に跳ね上げた跳ね上げ位置との間で揺動可能となるように、回動機構を介して脚に対して取り付けられており、回動機構は、座部を跳ね上げ位置に保持する係止手段を有することを特徴とする。
このように構成された本発明においては、係止手段を有するので、座部を跳ね上げた状態で確実に保持し、座部が倒れ難くすることができ、これにより、座部を跳ね上げた状態で椅子の移動やネスティングを容易に行うことができる。また、係止手段は回動機構に設けられているので、座部を跳ね上げ位置で保持するための構造を背凭れや脚に設ける必要がなく、コスト上昇を抑制し美観の悪化を抑制することができる。
【０００９】
また、本発明の椅子において、回動機構は、座部又は脚の一方に設けられた軸と、座部又は脚の他方に設けられて軸を受け入れる軸受とを有し、係止手段は、回動機構の軸又は軸受の一方と共に回動する突起と、軸又は軸受の他方と共に回動する嵌合孔とを備え、突起は、座部が跳ね上げ位置にある場合、座部を跳ね上げ位置に保持するように嵌合孔に嵌合し、跳ね上げ位置に保持されている座部を水平位置に向けて押し下げる力が加えられた場合、嵌合孔から離脱する。
このように構成された本発明においては、座部を跳ね上げ位置まで揺動させると、突起が嵌合孔に嵌合して座部を跳ね上げ位置に保持し、跳ね上げ位置に保持されている座部を水平位置に向けて押し下げる力が加えられた場合、突起が嵌合孔から離脱することで跳ね上げ位置における保持状態が解除されるので、突起と嵌合孔という簡易な構造で座部を跳ね上げ位置に確実に保持できると共に、跳ね上げ位置における保持状態からの解除も容易に行うことができる。
【００１０】
また、本発明の椅子は、さらに、座部の後部の左右両側部のそれぞれに設けられた一対の座部支持部を有し、座部支持部のそれぞれに回動機構が設けられ、さらに、左右一対の肘掛を有し、肘掛の下端部は、椅子の幅方向外側から座部支持部に取り付けられている。
このように構成された本発明においては、座部の後部の左右両側部に設けられた一対の座部支持部のそれぞれに回動機構が設けられているので、座部の下面や脚等に座部を回動させるための複雑な回動機構を設ける必要がなく、背凭れと一体感のある位置において単純な構造で座部を支持することができ、これにより、コスト上昇を抑制しつつ美観を向上させることができる。
また、肘掛の下端部は、椅子の幅方向外側から座部支持部に取り付けられているので、肘掛を取り付けるための取付構造を別途背凭れや脚に設ける必要がなく、これにより、コスト上昇や美観の悪化を抑制しつつ、肘掛を設けることができる。
さらに、肘掛の取付構造には高い強度が必要とされるが、肘掛の下端部は、椅子の幅方向外側から座部支持部に取り付けられているので、この座部支持部の強度を高めればよく、これにより、肘掛を取り付けるための取付構造を別途背凭れや脚に設けた場合と比較して、肘掛の取付構造に要求される強度を容易且つ確実に実現することができる。
【００１１】
また、脚は、左右一対の前脚と、左右一対の後脚とを含み、背凭れは、その左右両側のそれぞれから下方に延びる支持フレーム部を有し、座部支持部は、その後方に、背凭れの支持フレーム部と後脚とを連結する連結部を有し、後脚、連結部、及び、支持フレーム部は、下からこの順序で互いに同軸上に連結されている。
このように構成された本発明においては、座部支持部は、その後方に設けられた連結部により、後脚の上端と背凭れの支持フレーム部の下端とを同軸上に連結する連結構造を兼ねているので、背凭れ及び後脚と一体感のある位置において単純な構造で座部を支持することができ、これにより、美観を一層向上させることができる。また、椅子の組立作業を簡単にすることができる。
【発明の効果】
【００１２】
本発明の椅子によれば、座部を跳ね上げた状態で確実に保持することができると共に、コスト上昇を抑制し美観を向上させることができる。
【図面の簡単な説明】
【００１３】
【図１】本発明の実施形態による椅子を左前方から見た斜視図である。
【図２】本発明の実施形態による椅子の座部支持部及び肘掛の拡大正面図である。
【図３】本発明の実施形態による座部支持部の内部構造を示す拡大斜視図である。
【図４】本発明の実施形態による座部支持部の内部構造を示す拡大側面図である。
【図５】本発明の実施形態による椅子２脚をネスティングした状態を示す側面図である。
【図６】本発明の実施形態の変形例による椅子を右前方から見た斜視図である。
【発明を実施するための形態】
【００１４】
以下、添付図面を参照して、本発明の実施形態による椅子を説明する。
まず、図１及び図２により、本発明の実施形態による椅子について説明する。図１は本発明の実施形態による椅子を左前方から見た斜視図であり、図２は本発明の実施形態による椅子の座部支持部及び肘掛の拡大正面図である。
【００１５】
図１に示すように、椅子１は、左右一対の前脚２と、左右一対の後脚４とを備えている。これらの各前脚２及び後脚４の下端には、キャスター６が取り付けられている。
各前脚２は、下端から後上方へ延び、且つ、長手方向の中央近傍で上方に凸状に屈曲した略へ字形に形成されている。左右の前脚２は、それぞれの前脚２の間を幅方向に延びる連結フレーム１０によって連結されている。
また、各後脚４は、下端から上方へ延び、その上端において前脚２の後端と連結されている。この左右一対の後脚４間の距離は、左右一対の前脚２の幅方向外側面間の距離よりも大きくなっている。また、後脚４は、長手方向に直交する断面が円形の円筒形状に形成されている。
【００１６】
各後脚４の上方には、背凭れ１２が取り付けられている。背凭れ１２は、平面視で後方に凸の湾曲板状に形成され、この背凭れ１２の左右両側のそれぞれから下方に延びる支持フレーム部１２ａの下端が、後述する連結部を介して各後脚４の上端に連結されている。支持フレーム部１２ａは、長手方向に直交する断面が円形の円筒形状に形成されており、円形断面の半径は、後脚４の円形断面の半径と等しい。
座部１４は、ユーザが着座可能な使用位置において、背凭れ１２の下端から前方に向かって略水平に延びるように配置される。座部１４は、例えば、略四角形に形成した座部フレーム１６の下面側に底板１８を取り付けると共に、上面側にクッション２０を取り付けることにより構成される。また、座部１４の下面には、使用位置において連結フレーム１０の上面に当接する当接部２２が設けられている。
【００１７】
さらに、各後脚４の上端と背凭れ１２の下端との連結部分の前方に、座部１４の前部が上下方向に揺動可能なように座部１４の後部を左右両側から支持する左右一対の座部支持部２４が設けられている。各座部支持部２４の外形は、椅子１の幅方向に延びる中心軸線を持つ円筒形に形成されている。
【００１８】
また、図１及び図２に示すように、左右の肘掛２６は、それぞれ、椅子１の幅方向外側から左右の座部支持部２４に固定されている。この肘掛２６の下端部２８は、側面視で座部支持部２４の外周とほぼ同じ形状の円筒形に形成されている。そして、下端部２８から前上方へ支柱部３０が延び、支柱部３０の上端に、前後方向に延びる肘掛本体３２が設けられている。
【００１９】
次に、図３及び図４により、本発明の実施形態における座部支持部２４を詳細に説明する。図３は、本発明の実施形態による座部支持部２４の内部構造を示す拡大斜視図であり、図４は、本発明の実施形態による座部支持部２４の内部構造を示す拡大側面図である。
なお、図３及び図４では、座部支持部２４の構造を見え易くするために、座部１４の底板１８及びクッション２０の図示を省略している。
【００２０】
まず、図３に示すように、座部支持部２４は、後脚４の上端と背凭れ１２の支持フレーム部１２ａの下端との間に連結される連結部３４と、椅子１の幅方向に延びる中心軸線を持つ円筒形に形成され連結部３４の前方に固定された支持部本体３６と、支持部本体３６に固定され、この支持部本体３６と共通の中心軸線を持ち且つ座部１４の幅方向内側に向かって延びる支持軸３８とを備えている。また、支持部本体３６の内側面（支持軸３８が延びている面）には、座部１４の前部が上方に揺動し座部１４がほぼ直立した位置（跳ね上げ位置）で座部１４を保持する突起４０（係止手段）が形成されている。
【００２１】
連結部３４は、長手方向に直交する断面が円形の円筒形状に形成されており、円形断面の半径は、後脚４及び背凭れ１２の支持フレーム部１２ａの円形断面の半径と等しい。また、連結部３４の上端及び下端は、それぞれ先細のテーパー状に形成されている。そして、連結部３４の下端が後脚４の上端に挿入され、連結部３４の上端が背凭れ１２の支持フレーム部１２ａの下端に挿入されることにより、後脚４、連結部３４、及び、支持フレーム部１２ａは、下からこの順序で互いに同軸上に連結される。
【００２２】
また、座部１４は、座部１４の後部の左右両側に配置された左右一対の軸受部４２（軸受）を備えている。座部１４の軸受部４２は、図３に示すように、座部１４の後部の左右両端において座部支持部２４の支持軸３８の中心軸線と直交するように形成された略矩形の平板部４４と、座部支持部２４の支持軸３８を受け入れるように平板部４４に形成された軸孔４６とを備えている。
【００２３】
さらに、図３及び図４に示すように、軸受部４２は、平板部４４の外周に固定されて平板部４４と共に支持軸３８周りに回動する略コ字形の嵌合板４８を備えている。嵌合板４８には、座部支持部２４の突起４０が嵌合可能な嵌合孔５０（係止手段）が形成されている。この嵌合孔５０は、嵌合孔５０及び軸孔４６の中心間距離が座部支持部２４における突起４０及び支持軸３８の中心間距離に等しく、且つ、座部１４の跳ね上げ位置（図４において仮想線により示す）において嵌合孔５０と座部支持部２４の突起４０とが整列する位置に形成されている。また、嵌合板４８の外側面（支持部本体３６の内側面と対向する面）には、嵌合孔５０及び軸孔４６の中心間距離に等しい半径の円弧状に延びる案内溝５２が形成されており、この案内溝５２内に座部支持部２４の突起４０が嵌まり込むようになっている。
これらの支持軸３８、突起４０、及び軸受部４２により、座部１４を使用位置と跳ね上げ位置との間で揺動可能とする回動機構が構成される。
【００２４】
次に、図５により、本発明の実施形態による椅子１をネスティングする際の動作について説明する。図５は、本発明の実施形態による２脚の椅子１をネスティングした状態を示す側面図である。
本実施形態の椅子１をネスティングする場合には、座部１４を使用位置から跳ね上げ位置へ移動させる。具体的には、まず、使用位置の座部１４の前部を上方へ持ち上げる。これにより、座部１４は、座部支持部２４の支持軸３８周りに上方へ揺動する。このとき、座部支持部２４の突起４０は、座部１４の軸受部４２の案内溝５２に沿って摺動する。座部１４を跳ね上げ位置（即ち、座部１４がほぼ直立した位置）まで揺動させると、座部支持部２４の突起４０が座部１４の軸受部４２の嵌合孔５０に嵌合し、これにより、座部１４が跳ね上げ位置で保持される。
【００２５】
上述したように、左右一対の後脚４間の距離は、左右一対の前脚２の幅方向外側面間の距離よりも大きくなっている。したがって、本実施形態の椅子１を前後方向に整列させて互いに接近させると、後方の椅子１の前脚２は前方の椅子１の後脚４の間を通過し、後方の椅子１の座部１４の底面が前方の椅子１の背凭れ１２の後面とほぼ接触する位置まで互いに接近させることができる。これにより、図５に示すように、複数の椅子１をネスティングすることができる。
【００２６】
椅子１の座部１４を跳ね上げ位置から使用位置に戻す場合には、跳ね上げ位置の位置にある座部１４の前部を前下方へ押し下げるように力を加える。一定以上の力が加わると、座部１４の軸受部４２の嵌合孔５０に嵌合している突起４０が嵌合孔５０から離脱し、座部１４が下方へ揺動可能となる。これにより、座部１４は、座部支持部２４の支持軸３８周りに下方へ揺動する。座部１４を使用位置（即ち、座部１４が略水平の位置）まで揺動させると、座部１４の下面の当接部２２が連結フレーム１０の上面に当接する。これにより、座部１４が連結フレーム１０によって支持され、ユーザが着座可能になる。
【００２７】
次に、上述した本発明の実施形態による椅子１の作用効果を説明する。
まず、本発明の実施形態によれば、突起４０及び嵌合孔５０は、座部１４の前部を上方に跳ね上げた跳ね上げ位置に座部１４を保持するので、座部１４を跳ね上げた状態で確実に保持することができる。また、突起４０及び嵌合孔５０は座席支持部２４及び軸受部４２に設けられているので、座部１４を跳ね上げ位置で保持するための構造を背凭れ１２や脚２、４に設ける必要がなく、コスト上昇を抑制し美観の悪化を抑制することができる。
【００２８】
また、座部１４を跳ね上げ位置まで揺動させると、突起４０が嵌合孔５０に嵌合して座部１４を跳ね上げ位置に保持し、跳ね上げ位置に保持されている座部１４を水平位置に向けて押し下げる力が加えられた場合、突起４０が嵌合孔５０から離脱することで跳ね上げ位置における保持状態が解除されるので、突起４０と嵌合孔５０という簡易な構造で座部１４を跳ね上げ位置に確実に保持できると共に、跳ね上げ位置における保持状態からの解除も容易に行うことができる。
【００２９】
また、座部１４の後部の左右両側部に設けられた一対の座部支持部２４のそれぞれに回動機構が設けられているので、座部１４の下面や脚２、４等に座部１４を回動させるための回動機構を設ける必要がなく、背凭れ１２と一体感のある位置において単純な構造で座部１４を支持することができ、これにより、コスト上昇を抑制しつつ美観を向上させることができる。
また、肘掛２６の下端部２８は、椅子１の幅方向外側から座部支持部２４に取り付けられているので、肘掛２６を取り付けるための取付構造を新たに背凭れ１２や脚に設ける必要がなく、これにより、コスト上昇や美観の悪化を抑制しつつ、肘掛２６を設けることができる。
【００３０】
特に、脚は、左右一対の前脚２と、左右一対の後脚４とを含み、背凭れ１２は、その左右両側のそれぞれから下方に延びる支持フレーム部１２ａを有し、座部支持部２４の後方には、背凭れ１２の支持フレーム部１２ａと後脚４とを連結する連結部３４が設けられ、後脚４、連結部３４、及び、支持フレーム部１２ａは、下からこの順序で互いに同軸上に連結されている。即ち、座部支持部２４は、後脚４の上端と背凭れ１２の支持フレーム部１２ａの下端との連結構造を兼ねているので、背凭れ１２及び後脚４と一体感のある位置において単純な構造で座部１４を支持することができ、これにより、美観を一層向上させることができる。
【００３１】
以上、本発明の実施形態を説明したが、本発明の具体的な構成及び手段は、特許請求の範囲に記載した各発明の技術的思想の範囲内において、任意に改変及び改良することができる。
【００３２】
まず、上記の説明では、左右の肘掛２６が、それぞれ、椅子１の幅方向外側から左右の座部支持部２４に固定されている例を説明したが、図６に示すように、肘掛２６に代えてテーブル５４を設けてもよい。図６は、本発明の実施形態の変形例による椅子１を右前方から見た斜視図である。
具体的には、テーブル５４の支持アーム５６の下端を椅子１の幅方向外側から右側の座部支持部２４に固定する。支持アーム５６は下端から前上方へ延び、支持アーム５６の上端にテーブル５４の天板５８が固定される。また、支持アーム５６の中間部から下方へ補強アーム６０が延びており、この補強アーム６０の下端は、前脚２の上部に固定される。支持アーム５６の下端の固定構造は、肘掛２６の下端の固定構造と同じ構造になっており、必要に応じて肘掛２６とテーブル５４とを交換することが可能である。
【００３３】
また、上記の説明では、椅子１は、左右一対の前脚２及び左右一対の後脚４を備えていると説明したが、これとは異なる構成の脚を備えるようにしてもよい。例えば、座部１４を水平方向に回転可能に支持する５本脚や６本脚の回転脚を備えるようにしてもよい。この場合においても、上記と説明と同様の座部支持部２４及び軸受部４２を用いることができる。
【００３４】
また、上記の説明では、座部１４の後部の左右両側部に設けられた一対の座部支持部２４のそれぞれに回動機構が設けられていると説明したが、座部１４の下方中央部に座部支持部２４及び回動機構を設けてもよい。
【符号の説明】
【００３５】
１  椅子
２  前脚
４  後脚
６  キャスター
８  屈曲部
１０  連結フレーム
１２  背凭れ
１２ａ  支持フレーム部
１４  座部
１６  座部フレーム
１８  底板
２０  クッション
２２  当接部
２４  座部支持部
２６  肘掛
２８  下端部
３０  支柱部
３２  肘掛本体
３４  連結部
３６  支持部本体
３８  支持軸
４０  突起（係止手段）
４２  軸受部（軸受）
４４  平板部
４６  軸孔
４８  嵌合板
５０  嵌合孔（係止手段）
５２  案内溝
５４  テーブル
５６  支持アーム
５８  天板
６０  補強アーム
【図１】
0006504535.tif 000002
【図２】
0006504535.tif 000003
【図３】
0006504535.tif 000004
【図４】
0006504535.tif 000005
【図５】
0006504535.tif 000006
【図６】
0006504535.tif 000007